(57)【特許請求の範囲】
【請求項１】
放射性物質含有土を包囲した一時保管構造を構築する構築ステップと、前記一時保管構造内の放射性物質含有土を移送する移送ステップとを備える放射性物質含有土の一時保管方法であって、
前記構築ステップは、
放射性物質含有土を集積すべき領域の周縁に沿ってコンクリート製のプレキャスト擁壁を複数連設することで、前記領域を囲む周壁を構築する壁構築工程と、
前記領域の下側に底面遮水層を形成するとともに、前記周壁の壁面に沿って側面遮水層を形成する第一遮水工程と、
前記領域に放射性物質含有土を搬入する搬入工程と、
前記領域に集積された放射性物質含有土の上面に沿って天端遮水層を形成する第二遮水工程と、
前記天端遮水層の上に放射線遮蔽体を覆設する放射線遮蔽工程とを含み、
前記移送ステップは、
前記放射線遮蔽体を取り除く搬出準備工程と、
前記一時保管構造内の放射性物質含有土を掘り返し、他の保管場所へ搬出する搬出工程とを含むことを特徴とする放射性物質含有土の一時保管方法。
【請求項２】
放射性物質含有土を包囲した一時保管構造を構築する構築ステップと、前記一時保管構造内の放射性物質含有土を移送する移送ステップとを備える放射性物質含有土の一時保管方法であって、
前記構築ステップは、
地表を掘り下げて凹部を形成する掘削工程と、
前記凹部の底面上にコンクリート製のプレキャスト擁壁を複数連設することで、前記凹部の法面に対向する周壁を構築する壁構築工程と、
前記底面に沿って底面遮水層を形成するとともに、前記周壁の壁面に沿って側面遮水層を形成する第一遮水工程と、
前記周壁で囲まれた領域に放射性物質含有土を搬入する搬入工程と、
前記領域に集積された放射性物質含有土の上面に沿って天端遮水層を形成する第二遮水工程と、
前記天端遮水層の上に放射線遮蔽体を覆設する放射線遮蔽工程とを含み、
前記移送ステップは、
前記放射線遮蔽体を取り除く搬出準備工程と、
前記一時保管構造内の放射性物質含有土を掘り返し、他の保管場所へ搬出する搬出工程とを含むことを特徴とする放射性物質含有土の一時保管方法。
【請求項３】
前記移送ステップは、
前記プレキャスト擁壁を取り除く壁撤去工程をさらに含むことを特徴とする請求項１又は請求項２に記載の放射性物質含有土の一時保管方法。
【発明の詳細な説明】
【技術分野】
【０００１】
本発明は、放射性物質を含有する表土、汚泥、がれき等（以下「放射性物質含有土」という。）を一時的に保管する方法に関する。
【背景技術】
【０００２】
放射性物質（例えば、放射性セシウム−１３４や放射性セシウム−１３７など）による環境汚染が社会問題となっている。例えば、学校や公園等においては、表土を剥ぎ取るなどの対策が応急的に施されているが、剥ぎ取った表土は、ビニールシート等で覆っただけの状態で校庭等に仮置きされている。また、下水処理場の汚泥からも、放射性物質が検出されているが、その処分方法は未定のままである。
【０００３】
最終的な処分方法が定まるまでの暫定的な措置として、放射性物質含有土を地中に埋めた状態で一時的に保管する方法が提案されている（非特許文献１参照）。この一時保管方法は、地表を掘り下げてトレンチを形成し、トレンチの底面および側面に遮水シートを敷設した後、放射性物質含有土をトレンチ内に搬入し、その後、放射性物質含有土を遮水シートで覆い、さらに覆土する、というものである。なお、地中に仮置きされた放射性物質含有土は、いずれは掘り返され、恒久的な保管場所へ搬出される。
【先行技術文献】
【非特許文献】
【０００４】
【非特許文献１】日本原子力研究開発機構、「学校等の校庭・園庭の空間線量低減のための当面の対策に関する検討について」、平成２３年５月１１日、文部科学省、「平成２３年７月２５日検索」、インターネット＜URL: http://www.mext.go.jp/a_menu/saigaijohou/syousai/__icsFiles/afieldfile/2011/05/11/1305946_1.pdf＞
【発明の概要】
【発明が解決しようとする課題】
【０００５】
非特許文献１の技術では、放射性物質含有土と原地盤とを隔てる部材が僅か数ミリ程度の遮水シートのみとなるため、周辺住民や施設利用者等に不安感を与える虞がある。
【０００６】
また、放射性物質含有土を掘り返す際に油圧ショベル等の施工機械を使用すると、施工機械のバケットで遮水シートが引き裂かれ、あるいは捲れる虞があるところ、非特許文献１の技術では、放射性物質含有土と原地盤が遮水シートのみで隔てられているので、遮水シートが引き裂かれる等すると、放射性物質含有土が周囲に逸散する虞がある。
【０００７】
このような観点から、本発明は、周辺住民等の安心感を高めることができ、かつ、放射性物質含有土を掘り返す際に放射性物質含有土の逸散を防ぐことができる放射性物質含有土の一時保管方法を提供することを課題とする。
【課題を解決するための手段】
【０００８】
上記課題を解決する第一の発明は、放射性物質含有土を包囲した一時保管構造を構築する構築ステップと、前記一時保管構造内の放射性物質含有土を移送する移送ステップとを備える放射性物質含有土の一時保管方法であって、前記構築ステップは、「放射性物質含有土を集積すべき領域の周縁に沿ってコンクリート製のプレキャスト擁壁を複数連設することで、前記領域を囲む周壁を構築する壁構築工程」と、「前記領域の下側に底面遮水層を形成するとともに、前記周壁の壁面に沿って側面遮水層を形成する第一遮水工程」と、「前記領域に放射性物質含有土を搬入する搬入工程」と、「前記領域に集積された放射性物質含有土の上面に沿って天端遮水層を形成する第二遮水工程」と、「前記天端遮水層の上に放射線遮蔽体を覆設する放射線遮蔽工程」とを含み、前記移送ステップは、「前記放射線遮蔽体を取り除く搬出準備工程」と、「前記一時保管構造内の放射性物質含有土を掘り返し、他の保管場所へ搬出する搬出工程」とを含むことを特徴とする。
【０００９】
第一の発明によれば、遮水層よりも堅牢な周壁（コンクリート製のプレキャスト擁壁）によって放射性物質含有土が包囲されるようになるので、放射性物質含有土を明確に区画することができ、ひいては、周辺住民の安心感を高めることができる。なお、一時保管中は、放射性物質含有土が遮水層で密閉された状態となるので、雨水等の浸入および放射性物質含有土の漏出を確実に防ぐことができ、また、放射性物質含有土の上面が放射線遮蔽体（例えば、覆土層、コンクリートパネル、タングステンシートなど）で覆われた状態となるので、一時保管構造から放出される放射線量を低減することができる。さらに、本発明によれば、放射性物質含有土が周壁によって防護された状態となるので、周壁内の放射性物質含有土を施工機械で掘り返す際に遮水層が引き裂かれる等しても、放射性物質含有土の逸散を防ぐことができる。
【００１０】
また、上記課題を解決する第二の発明は、放射性物質含有土を包囲した一時保管構造を構築する構築ステップと、前記一時保管構造内の放射性物質含有土を移送する移送ステップとを備える放射性物質含有土の一時保管方法であって、前記構築ステップは、「地表を掘り下げて凹部を形成する掘削工程」と、「前記凹部の底面上にコンクリート製のプレキャスト擁壁を複数連設することで、前記凹部の法面に対向する周壁を構築する壁構築工程」と、「前記底面に沿って底面遮水層を形成するとともに、前記周壁の壁面に沿って側面遮水層を形成する第一遮水工程」と、「前記周壁で囲まれた領域に放射性物質含有土を搬入する搬入工程」と、「前記領域に集積された放射性物質含有土の上面に沿って天端遮水層を形成する第二遮水工程」と、「前記天端遮水層の上に放射線遮蔽体を覆設する放射線遮蔽工程」とを含み、前記移送ステップは、「前記放射線遮蔽体を取り除く搬出準備工程」と、「前記一時保管構造内の放射性物質含有土を掘り返し、他の保管場所へ搬出する搬出工程」とを含むことを特徴とする。
【００１１】
第二の発明によれば、第一の発明と同様に、周辺住民の安心感を高めることができ、放射性物質含有土を掘り返す際には放射性物質含有土の逸散を防ぐことができる。また、一時保管中は、雨水等の浸入および放射性物質含有土の漏出を確実に防ぐことができるとともに、一時保管構造から放出される放射線量を低減することができる。さらに、第二の発明によれば、放射性物質含有土が地中に埋設された状態となるので、一時保管構造から放出される放射線量をより一層低減することができる。
【００１２】
また、上記各発明によれば、プレキャスト擁壁を使用して周壁を構築しているので、一時保管構造の構築および撤去を簡易迅速に実施することができる。
【発明の効果】
【００１３】
本発明によれば、周辺住民等の安心感を高めることができ、かつ、放射性物質含有土を掘り返す際に放射性物質含有土の逸散を防ぐことができる。
【図面の簡単な説明】
【００１４】
【図１】放射性物質含有土を一時保管している状態（一時保管構造）を示す断面図である。
【図２】本発明の実施形態に係る放射性物質含有土の一時保管方法を説明するための図であって、（ａ）は掘削工程を示す平面図、（ｂ）は（ａ）のＸ−Ｘ線拡大断面図である。
【図３】同じく（ａ）は壁構築工程を示す平面図、（ｂ）は（ａ）のＸ−Ｘ線拡大断面図である。
【図４】同じく（ａ）は第一遮水工程を示す平面図、（ｂ）は（ａ）のＸ−Ｘ線拡大断面図である。
【図５】同じく（ａ）は斜路構築工程を示す平面図、（ｂ）は（ａ）のＹ−Ｙ線拡大断面図である。
【図６】同じく搬入工程を示す断面図である。
【図７】同じく第二遮水工程を示す断面図である。
【図８】同じく搬出工程を示す断面図である。
【図９】同じく壁撤去工程を経た後の状態を示す断面図である。
【発明を実施するための形態】
【００１５】
本発明の実施形態に係る放射性物質含有土の一時保管方法は、図１に示す一時保管構造Ａを構築する第一ステップ（構築ステップ）と、一時保管構造Ａ内で放射性物質含有土を保管する第二ステップと、一時保管構造Ａ内の放射性物質含有土を移送する第三ステップ（移送ステップ）とを備えるものである。
【００１６】
まず、一時保管構造Ａの構成を詳細に説明する。
一時保管構造Ａは、放射性物質含有土を集積してなる土層（以下「保管土層」という。）Ｂを囲む周壁１と、保管土層Ｂの下面に沿って形成された底面遮水層２と、保管土層Ｂの側面に沿って形成された側面遮水層３と、保管土層Ｂの上面に沿って形成された天端遮水層４と、天端遮水層４の上に覆設された放射線遮蔽体５と、周壁１および放射線遮蔽体５を取り囲む埋戻土層６とを備えている。
【００１７】
周壁１は、法面Ｄ１に沿って構築されている。周壁１の上端は、地表Ｃよりも低いところに位置している。周壁１は、凹部の底面Ｄ２に設置された複数のプレキャスト擁壁１０，１０，…からなる。
【００１８】
プレキャスト擁壁１０は、鉄筋コンクリート製のプレキャスト部材であり、基礎１１上に載置されている。本実施形態のプレキャスト擁壁１０は、Ｌ型プレキャスト擁壁（側面視Ｌ字状を呈する片持ち梁式のプレキャスト擁壁）であり、底版部と、底版部の側縁から立ち上がる壁部とを備えている。プレキャスト擁壁１０の底版部は、保管土層Ｂの下方に位置しており、プレキャスト擁壁１０の壁部は、保管土層Ｂの側方に位置している。基礎１１は、採石層と、採石層の上に敷設された敷砂層と、敷砂層の上に敷設された敷モルタル層とを備えている。なお、採石層の上にコンクリート層を形成してもよいが、本実施形態では、工期短縮を図るべくコンクリート層を省略している。
【００１９】
底面遮水層２、側面遮水層３および天端遮水層４は、いずれも遮水シートからなる。放射性物質含有土を密封できるよう、遮水シート同士の継ぎ目は、互いに熱溶着あるいは接着されている。遮水シートの種類に制限はないが、例えば、合成ゴム系、合成樹脂系、アスファルト系、ベントナイト系の遮水シートを使用することができる。遮水シートの厚さや柔軟性に制限はないが、本実施形態では、略直角のコーナー部に容易に対応できるよう、厚さ１．５ｍｍの中弾性タイプ（オレフィン系熱可塑性ゴム、熱可塑性ポリウレタン、低密度ポリエチレン、エチレン酢酸ビニル樹脂など）を使用する。
【００２０】
底面遮水層２は、凹部の底面Ｄ２に沿って形成されていて、保管土層Ｂの下面を完全に覆っている。底面遮水層２は、放射性物質含有土の搬入作業を開始する前に形成される。本実施形態の底面遮水層２は、プレキャスト擁壁１０の底版部の上側に形成されており、かつ、保管土層Ｂに接している。なお、図示は省略するが、プレキャスト擁壁１０の底版部の下側に底面遮水層２を形成してもよい。この場合には、プレキャスト擁壁１０を設置する前に底面遮水層２を形成する。
【００２１】
側面遮水層３は、周壁１の保管土層Ｂ側に形成されていて、保管土層Ｂの側面（周面）を完全に覆っている。側面遮水層３は、放射性物質含有土の搬入作業を開始する前に形成される。なお、図示は省略するが、周壁１の法面Ｄ１側に側面遮水層３を形成してもよい。この場合には、放射性物質含有土の搬入作業が完了した後に、あるいは、放射性物質含有土の搬入作業と並行して側面遮水層３を形成することができる。
【００２２】
天端遮水層４は、保管土層Ｂの上面を完全に覆っている。天端遮水層４は、放射性物質含有土の搬入作業が完了した後に形成される。
【００２３】
放射線遮蔽体５は、天端遮水層４の上に敷き詰められた複数のコンクリートパネル５ａ，５ａ，…と、コンクリートパネル５ａ，５ａ，…の上に配置された覆土層５ｂとを備えている。
【００２４】
コンクリートパネル５ａは、コンクリート製のプレキャスト部材であり、天端遮水層４の上に載置されている。コンクリートパネル５ａは、平滑な面が下面となるように配置されている。コンクリートパネル５ａの厚さは、放射線の遮蔽効果を考慮して設定すればよい。コンクリートパネル５ａの形状に制限はないが、隣り合うコンクリートパネル５ａ，５ａ間に隙間が生じないよう、矩形のものを選択することが望ましい。なお、本実施形態では、複数のコンクリートパネル５ａ，５ａ，…の段数を一段としているが、複数段としてもよい。
【００２５】
覆土層５ｂは、通常の地盤材料（例えば、放射性物質を含有しない購入土、放射性物質を殆ど含有しない現場発生土など）からなる。本実施形態では、地盤材料を締め固めて覆土層５ｂの密度を高めている。覆土層５ｂの層厚は、放射線の遮蔽効果を考慮して設定すればよい。なお、流動化処理土、セメント系安定処理土、石灰系安定処理土、アスファルト系安定処理土などで覆土層５ｂを形成してもよい。
【００２６】
埋戻し土層６は、通常の地盤材料を締め固めて形成したものである。なお、流動化処理土、セメント系安定処理土、石灰系安定処理土、アスファルト系安定処理土などで覆土層５ｂを形成してもよい。
【００２７】
次に、本実施形態に係る放射性物質含有土の一時保管方法を詳細に説明する。前記したように、本実施形態に係る一時保管方法は、一時保管構造Ａを構築する第一ステップと、一時保管構造Ａ内で放射性物質含有土を保管する第二ステップと、一時保管構造Ａ内の放射性物質含有土を移送する第三ステップとを備えるものである。なお、本実施形態の放射性物質含有土は、原子力発電所由来の放射性物質を含んだ表土である。表土は、事前に剥ぎ取られたものであり、敷地の一角に仮置きされている。
【００２８】
第一ステップは、掘削工程、壁構築工程、第一遮水工程、斜路構築工程、搬入工程、埋戻し工程、第二遮水工程、放射線遮蔽工程を含んでいる。
【００２９】
掘削工程は、図２に示すように、地表Ｃを掘り下げて凹部を形成する工程である。凹部の深さ、幅および長さは、放射性物質含有土を集積すべき領域Ｅを包含可能な大きさとする。掘削作業には、油圧ショベルなどの施工機械を使用する。表層以外を掘削した際に発生した残土（原子力発電所由来の放射性物質を含有しない残土）は、覆土層５ｂおよび埋戻し土層６の地盤材料として利用できるよう、放射性物質含有土と区別できるような状態で図示せぬ作業ヤードに仮置きする。凹部の床付けが完了したら、領域Ｅの周縁部において凹部の底面Ｄ２を僅かに掘り下げ、掘り下げた部分に基礎１１（図３の（ｂ）参照）を形成する。
【００３０】
周壁構築工程は、図３に示すように、領域Ｅの周縁に沿って複数のプレキャスト擁壁１０，１０，…を連設することで、領域Ｅを囲む周壁１を構築する工程である。本実施形態では、凹部の底面Ｄ２上にプレキャスト擁壁１０，１０，…を複数連設することで、凹部の法面Ｄ１に対向する周壁１を構築している。なお、プレキャスト擁壁１０は、基礎１１（図３の（ｂ）参照）の上に載置する。プレキャスト擁壁１０の据付作業には、地表Ｃに配置した図示せぬホイールクレーン（揚重機械）を使用する。領域Ｅの中央部（底面Ｄ２の中央部）には、砂などの間詰め材１２を敷設する。間詰め材１２の上面は、プレキャスト擁壁１０の底版部の上面と面一になるように成形する。
【００３１】
第一遮水工程は、図４に示すように、領域Ｅの下側に底面遮水層２を形成するとともに、周壁１の壁面に沿って側面遮水層３を形成する工程である。本実施形態では、底面Ｄ２に沿って遮水シートを敷設するとともに、周壁１の壁面に沿って遮水シートを張設することで、底面遮水層２および側面遮水層３を形成する。なお、底面遮水層２の上下および側面遮水層３の内面側（領域Ｅ側）には、図示せぬ保護マット（例えば、厚さ１０ｍｍ以上の短繊維不織布）を積層する。
【００３２】
斜路構築工程は、図５に示すように、法肩から底面遮水シート２に至る斜路７を構築する工程である。周壁１は、斜路７に埋設する。斜路７のうち、領域Ｅの内側の部位は、放射性物質含有土で形成し、領域Ｅの外側の部位は、覆土層５ａ又は埋戻し層６（図１参照）と同質の地盤材料（例えば、表層以外を掘削した際に発生した残土など）で形成する。
【００３３】
搬入工程は、図６に示すように、周壁１で囲まれた領域に放射性物質含有土を搬入する工程である。搬入工程を行うと、周壁１で囲まれた領域に放射性物質含有土が集積され、当該領域内に保管土層Ｂ（図７参照）が形成される。放射性物質含有土は、斜路７（図５参照）を走行可能なダンプを使用して搬入するか、あるいは、地表Ｃに配置した油圧ショベルを使用して搬入する。放射性物質含有土を搬入したら、底面遮水層２又は締固めが完了した保管土層Ｂ’の上に敷き均し、敷き均した放射性物質含有土を締め固める。本実施形態では、一層の仕上がり厚さ（転圧後の厚さ）が３０ｃｍ程度となるように、放射性物質含有土を敷き均す。なお、敷き均しおよび転圧に必要な施工機械（ブルトーザや振動ローラなど）は、斜路７を利用して領域Ｅ内に搬入する。また、放射性物質含有土を搬入、敷き均し等する際には、放射性物質含有土が周囲に飛散しないような対策を施すことが望ましい。本実施形態では、法肩付近に図示せぬミスト噴霧器を設置し、作業領域に向けてミストを噴霧することで放射性物質含有土の飛散を防止している。
【００３４】
埋戻し工程は、埋戻し土層６（図１参照）のうち、周壁１と法面Ｄ１との間に位置する部分６’（以下「下部土層６’」と称する）を形成する工程である。下部土層６’となる地盤材料は、地表Ｃに配置した油圧ショベルを使用して周壁１と法面Ｄ１との間に投入する。地盤材料を投入したら、底面Ｄ２又は締固めが完了した下部土層６’の上に敷き均し、敷き均した地盤材料を締め固める。なお、搬入工程と埋戻し工程を同時期に並行して行う場合には、締固めを終えた下部土層６’の上面高さが締固めを終えた保管土層Ｂ’の上面高さを超えないように各工程の進捗を管理する。すなわち、搬入工程が完了するまでは、下部土層６’の上面高さを保管土層Ｂ’の上面高さ以下に抑えつつ埋戻し工程を行う。なお、図示は省略するが、搬入工程が完了した後に、埋戻し工程を開始してもよい。
【００３５】
第二遮水工程は、図７に示すように、保管土層Ｂの上面に沿って天端遮水層４を形成する工程である。第二遮水工程では、まず、保管土層Ｂの上面の不陸を調整し、その後、天端遮水層４となる遮水シートを保管土層Ｂの上面に敷設するとともに、天端遮水層４の上に図示せぬ保護マット（例えば、厚さ１０ｍｍ以上の短繊維不織布）を積層する。なお、保管土層Ｂの上面には、天端遮水層４に達した雨水等が周壁１側に向けて流下するような排水勾配を設ける。
【００３６】
放射線遮蔽工程は、天端遮水層４の上に放射線遮蔽体５（図１参照）を覆設する工程である。放射線遮蔽工程では、まず、天端遮水層４の上（本実施形態では、図示せぬ保護マットの上）に複数のコンクリートパネル５ａ，５ａ，…（図１参照）を載置し、その後、コンクリートパネル５ａの上に覆土層５ｂ（図１参照）を形成する。覆土層５ｂを形成するには、コンクリートパネル５ａ，５ａ，…の上に通常の地盤材料を敷き均し、敷き均した地盤材料を締め固めればよい。本実施形態では、コンクリートパネル５ａ，５ａ，…の上に加えて下部土層６’の上にも地盤材料を敷き均し、図１に示す埋戻し土層６を完成させる。覆土層５ｂおよび埋戻し土層６の上面は、地表Ｃと面一となるように成形する。
【００３７】
上記各工程を経ると、図１に示す一時保管構造Ａが形成される。
一時保管構造Ａが構築されたら、放射性物質含有土を保管する第二ステップに移行する。
【００３８】
第二ステップでは、図１の状態で放射性物質含有土が保管されることになるが、一時保管構造Ａによれば、遮水シートよりも堅牢な周壁１によって放射性物質含有土が包囲されるようになるので、放射性物質含有土を明確に区画することができ、ひいては、周辺住民の安心感を高めることができる。なお、第二ステップ中は、放射性物質含有土が遮水層２，３，４で密閉された状態となるので、雨水等の浸入および放射性物質含有土の漏出を確実に防ぐことができる。また、保管土層Ｂが放射線遮蔽体５で覆われた状態となるので、一時保管構造Ａの上面から放出される放射線量は、保管土層Ｂの内部の放射線量よりも小さいものとなる。
【００３９】
放射性物質含有土の恒久的な処分方法が決定したら、第三ステップに移行する。
第三ステップは、搬出準備工程、搬出工程、壁撤去工程を含んでいる。
【００４０】
搬出準備工程は、放射線遮蔽体５を取り除くとともに天端遮水層４を取り除く工程である。これらの除去作業には、油圧ショベルなどの施工機械を使用する。覆土層５ｂから得た地盤材料は、凹部の埋戻し土として利用できるよう、図示せぬ作業ヤードに仮置きする。
【００４１】
搬出工程は、図８に示すように、放射性物質含有土を掘り返し、掘り返した放射性物質含有土を他の保管場所へ搬出する工程である。プレキャスト擁壁１０の安定性を考慮し、保管土層Ｂを掘り返す作業は、埋戻し土層６を掘り返す作業と並行して行う。掘削作業には、油圧ショベルなどの施工機械を使用する。プレキャスト擁壁１０は、保管土層Ｂの外縁および下縁を示す目安となるので、放射性物質含有土の掘り返し作業は、プレキャスト擁壁１０の壁部に隣接した領域から開始し、プレキャスト擁壁１０の底版部の直上の領域を間詰め材１２の直上の領域に先んじて掘り下げることが望ましい。なお、プレキャスト擁壁１０に隣接した領域を掘り返す際に油圧ショベルのバケットによって底面遮水層２や側面遮水層３が引き裂かれる等しても、その裏側にプレキャスト擁壁１０が存在しているので、放射性物質含有土がプレキャスト擁壁１０の外側に逸散することはない。
【００４２】
壁撤去工程は、プレキャスト擁壁１０，１０，…を取り除くとともに、底面遮水層２および側面遮水層３を取り除く工程である。プレキャスト擁壁１０の撤去作業には、地表Ｃに配置した図示せぬホイールクレーン（揚重機械）を使用する。
【００４３】
総てのプレキャスト擁壁１０，１０，…を撤去したら、図９に示すように、通常の地盤材料（例えば、放射性物質を含有しない購入土、放射性物質を殆ど含有しない現場発生土など）を利用して凹部を埋め戻し、原状回復を図る。
【００４４】
以上説明した本実施形態に係る放射性物質含有土の一時保管方法によれば、周辺住民の安心感を高めることができ、放射性物質含有土を掘り返す際には、放射性物質含有土の逸散を防ぐことができる。また、一時保管中は、雨水等の浸入および放射性物質含有土の漏出を確実に防ぐことができる。さらに、一時保管中は、放射性物質含有土が地中に埋設された状態となるので、一時保管構造Ａから放出される放射線量を低減することができる。
【００４５】
なお、一時保管構造Ａの構成等は、適宜変更してもよい。
例えば、本実施形態では、地表Ｃを掘り下げて形成した凹部に一時保管構造Ａを構築したが、一時保管構造Ａの構築位置を限定する趣旨ではない。図示は省略するが、地表Ｃの上に一時保管構造Ａを構築してもよいし、一時保管構造Ａの一部を地表Ｃから突出させてもよい。
【００４６】
本実施形態では、プレキャスト擁壁１０として、Ｌ型プレキャスト擁壁を使用したが、逆Ｔ型プレキャスト擁壁（側面視逆Ｔ字状を呈する片持ち梁式のプレキャスト擁壁）を使用してもよい。
【００４７】
また、図示は省略するが、コンクリートパネル５ａまたは覆土層５ｂのみで放射線遮蔽体を形成してもよいし、天端遮水層４の上に敷設したタングステンシート（タングステン粉末と樹脂の複合素材からなるシート）で放射線遮蔽体を形成してもよい。なお、タングステンシートは、単独で使用してもよいし、コンクリートパネル５ａおよび覆土層５ｂの少なくとも一方と併用してもよい。
【符号の説明】
【００４８】
Ａ    一時保管構造
Ｂ    保管土層（放射性物質含有土）
Ｃ    地表
Ｄ１  凹部の法面
Ｄ２  凹部の底面
１    周壁
２    底面遮水層
３    側面遮水層
４    天端遮水層
５    放射線遮蔽体
５ａ  コンクリートパネル
５ｂ  覆土層
６    埋戻し土層
【図１】
0005758733.tif 000002
【図２】
0005758733.tif 000003
【図３】
0005758733.tif 000004
【図４】
0005758733.tif 000005
【図５】
0005758733.tif 000006
【図６】
0005758733.tif 000007
【図７】
0005758733.tif 000008
【図８】
0005758733.tif 000009
【図９】
0005758733.tif 000010